(57)【要約】【課題】変調波送信状態であってもオフセット調整が可能な変調波生成装置を提供する。【解決手段】変調波生成装置１は、変調波Ｓ４を生成する変調部４０と、変調部４０へ入力される変調入力信号Ｓ３の直流成分値を推定する推定部９０と、推定部９０による推定結果に基づいて変調入力信号Ｓ３の直流成分値を調整する調整部３０とを含んでいる。推定部９０は、変調入力信号Ｓ３に対応する変調入力信号Ｓ８の直流成分値を、当該信号Ｓ８の交流成分の波形と同一または相似の波形を有する交流成分を含んだ参考信号Ｓ０を利用して上記推定を行う。例えば、推定部９０は、変調入力信号Ｓ８と、参考信号Ｓ０の交流成分をｋ倍にして得られる交流成分信号とを加算した加算信号を生成し、ｋの値を変化させることによって加算信号の信号値を収束させ、当該収束した信号値を推定直流成分値とする。【選択図】図１
2009284132.tif 000002
【特許請求の範囲】
【請求項１】
変調波を生成する変調部と、
前記変調部へ入力される変調入力信号の直流成分の値を参考信号を利用して推定する推定部と、
前記推定部によって推定された推定直流成分値が前記変調部の入力特性上定まる適正値に近づくように前記変調入力信号の前記直流成分値を調整する調整部と、
を備え、
前記参考信号は、前記変調入力信号の交流成分の波形と実質的に同一または相似の波形を有する交流成分を含み、
前記推定部は、前記変調入力信号と前記参考信号の前記交流成分をｋ倍にして得られる交流成分信号とを加算した加算信号を生成し、前記ｋの値を変化させることによって前記加算信号の信号値を収束させ、当該収束した信号値を前記推定直流成分値とすることを特徴とする変調波生成装置。
【請求項２】
変調波を生成する変調部と、
前記変調部へ入力される変調入力信号の直流成分の値を参考信号を利用して推定する推定部と、
前記推定部によって推定された推定直流成分値が前記変調部の入力特性上定まる適正値に近づくように前記変調入力信号の前記直流成分値を調整する調整部と、
を備え、
前記参考信号は、前記変調入力信号の交流成分の波形と実質的に同一または相似の波形を有する交流成分を含み、
前記推定部は、前記参考信号の前記交流成分の値が０（ゼロ）になる時間間隔を抽出し、当該抽出された時間間隔と実質的に等しい時間間隔を前記変調入力信号において発生させる一定の信号レベルを選定し、当該選定した信号レベルの値を前記推定直流成分値とすることを特徴とする変調波生成装置。
【請求項３】
請求項１または２に記載の変調波生成装置であって、
前記推定部は当該変調波生成装置に入力される送信情報信号を前記参考信号として利用することを特徴とする変調波生成装置。
【発明の詳細な説明】
【技術分野】
【０００１】
本発明は、変調波生成装置に係り、特に変調波送信状態であってもオフセット調整が可能な変調波生成装置に関する。
【背景技術】
【０００２】
移動体通等の無線通信では、例えば送信機の効率向上や、隣接チャネル漏洩等の不要波輻射の防止のために、歪み補償回路（リニアライザ）を有する増幅装置が用いられる。そのような方式の一例として、主増幅器出力信号とベースバンド信号とをフィードバックループで結ぶことによって歪み補償を図るカルテシアン方式が知られている。
【０００３】
ここで、例えばベースバンド信号が直流成分すなわち直流オフセットを有すると、直交変調器への入力信号が所望レベルからずれることになる。この場合、直交変調器の出力にキャリア・リーク（carrier  leak）と呼ばれる不要な信号成分が発生してしまう。キャリア・リークは変調波の精度を劣化させるので、ベースバンド信号中の直流成分（オフセット）を調整する必要がある。
【０００４】
しかし、変調波の送信中は上記直流成分を正確に検出できないので、オフセット調整は変調波を送信しない状態（変調波無送信状態）で行う必要がある。このため、変調波を継続的に送信する基地局等においては運用中の調整は困難であった。これに対しては、無線機の製造時に上記調整をするとともに、温度による特性変化や経年変化の小さい高精度の素子を選定することによって再調整を不要にするという対策がある。
【０００５】
また、特許文献１には、ベースバンド電圧を平均化処理して直流成分（ＤＣ電圧）を推定するリニアライザが記載されている。具体的には、まず、変調波無送信状態で直交変調器への入力信号の直流バイアス電圧（直流成分）を調整して最適化し、この最適化された直流バイアス電圧をローパスフィルタ（ＬＰＦ）を介してベースバンド部に取り込み、記憶する。また、通常送信状態において直交変調器への入力信号の直流バイアス電圧をＬＰＦを介してベースバンド部に取り込む。そして、取り込んだ上記２つの直流バイアス電圧の差分を打ち消すように、ベースバンド部からの出力電圧を補正する。
【０００６】
【特許文献１】特開２００２−１６４９４７号公報
【発明の開示】
【発明が解決しようとする課題】
【０００７】
上記のように変調波無送信状態でのオフセット調整（直流成分調整）が困難な場合には、製造時においてオフセットの調整および高精度素子の選定が必要である。かかる製造時の措置は製造コストの増大を招くことになる。
【０００８】
また、特許文献１に記載されたベースバンド信号の平均化処理では、使用する変調方式によっては正確なオフセット量を求めることができない場合がある。また、変調波送信状態ではベースバンド信号の電圧変化に比べてオフセット調整幅は小さいので、調整誤差が大きくなってしまう場合がある。
【０００９】
本発明は、上記のような問題点を解決するためになされたものであり、変調波送信状態であってもオフセット調整が可能であり、また、変調方式に依らず高精度なオフセット調整が可能な変調波生成装置を得ることを目的としている。
【課題を解決するための手段】
【００１０】
本発明に係る変調波生成装置は、変調波を生成する変調部と、前記変調部へ入力される変調入力信号の直流成分の値を参考信号を利用して推定する推定部と、前記推定部によって推定された推定直流成分値が前記変調部の入力特性上定まる適正値に近づくように前記変調入力信号の前記直流成分値を調整する調整部と、を備え、前記参考信号は、前記変調入力信号の交流成分の波形と実質的に同一または相似の波形を有する交流成分を含み、前記推定部は、前記変調入力信号と前記参考信号の前記交流成分をｋ倍にして得られる交流成分信号とを加算した加算信号を生成し、前記ｋの値を変化させることによって前記加算信号の信号値を収束させ、当該収束した信号値を前記推定直流成分値とすることを特徴とする。
【発明の効果】
【００１１】
上記構成によれば、変調入力信号の直流成分値を推定し、当該推定値を利用して変調入力信号の直流成分値を調整する。このため、変調波送信状態であっても直流成分の調整、すなわちオフセット調整が可能である。したがって、製造時におけるオフセットの調整および高精度素子の選定が不要であり、低コストで変調波生成装置を提供することができる。また、上記構成によれば、変調方式に依らずに、直流成分値の推定および調整を行うことができる。また、上記構成によれば、変調波送信状態において信号変化が大きい交流成分を利用して直流成分値を推定するので、高い推定精度が得られる。このため、調整誤差の小さい、すなわち高精度なオフセット調整を行うことができる。
【発明を実施するための最良の形態】
【００１２】
＜実施の形態１＞
図１に実施の形態１に係る変調波生成装置１のブロック図を例示する。なお、当該変調波生成装置１は、例えば無線送信機、無線送受信機等に適応可能である。図１に例示される変調波生成装置１は、アナログベースバンド信号生成部１０と、補償部２０と、調整部３０と、直交変調部４０と、増幅部５０とを含んでいる。
【００１３】
これにより、当該変調波生成装置１によって送信する送信情報を含んだデジタルベースバンド原信号（送信情報信号）Ｓ０は、アナログベースバンド信号生成部１０によってベースバンド信号Ｉ１，Ｑ１にアナログ変換され、補償部２０によって歪みが補償され（補正され）、調整部３０によって原点オフセット量が調整され、直交変調部４０によって無線周波数にアップコンバートされ、増幅器５０によって増幅されて、変調波生成装置１から出力される。以下に、各部１０，２０，３０，４０，５０について説明する。
【００１４】
アナログベースバンド信号生成部１０は、変調波生成装置１へ入力される送信情報信号Ｓ０から、直交する２つのベースバンド信号Ｉ１，Ｑ１を生成して出力する。なお、信号Ｉ１は同相信号（いわゆるＩ信号）であり、信号Ｑ１は直交信号（いわゆるＱ信号）である。ここでは、送信情報信号Ｓ０はデジタル信号であり、ベースバンド信号Ｉ１，Ｑ１はアナログ信号である。また、アナログベースバンド信号生成部１０は、デジタル／アナログ・コンバータで構成可能であり、図１では当該コンバータを例示している。
【００１５】
補償部２０は、増幅部５０で増幅された変調波（または変調波信号）Ｓ５の歪みを補償（補正）するものである。ここでは補償部２０がカルテシアンループによるフィードバック歪み補償方式で構成される場合を例示する。この方式によれば、変調波Ｓ５を直交復調してＩ信号Ｉ２３およびＱ信号Ｑ２３を得、これらの信号Ｉ２３，Ｑ２３をネガティブ・フィードバック信号（負帰還信号）として、ベースバンド信号生成部１０からの出力信号Ｉ１，Ｑ１に与える。
【００１６】
カルテシアン・フィードバック方式の歪み補償部２０は、図１に例示するように、方向性結合部２１と、減衰部２２と、直交復調部２３と、減算部２４とを含んで構成することが可能である。なお、図１では減衰部２２を抵抗で例示しているが、その他の信号減衰手段を用いてもよい。増幅部５０からの出力信号Ｓ５は、増幅部５０の出力に接続された方向性結合部２１によって分岐され、減衰部２２によって減衰され、直交復調部２３によってＩ信号Ｉ２３とＱ信号Ｑ２３に復調される。減算部２４は、上記Ｉ信号Ｉ１から復調Ｉ信号Ｉ２３を減算し、減算結果のＩ信号Ｉ２を出力する。同様に、減算部２４は上記Ｑ信号Ｑ１から復調Ｑ信号Ｑ２３を減算してＱ信号Ｑ２として出力する。信号Ｉ１，Ｑ２は補償部２０の出力信号として補償部２０から出力される。
【００１７】
調整部３０は、直交変調部４０へ入力される信号である変調入力信号Ｓ３の直流成分の値、換言すれば原点オフセット量を調整するものであり、ここでは補償部２０の出力端と直交変調部４０の入力端との間に接続されている。このため、調整部３０は、補償部２０によって補償されたベースバンド信号Ｉ２，Ｑ２を入力信号とし、当該信号Ｉ２，Ｑ２の直流成分の値をそれぞれ調整し、調整後のベースバンド信号Ｉ３，Ｑ３を直交変調部４０へ出力する。なお、信号Ｉ３，Ｑ３をまとめて信号Ｓ３とも呼ぶことにする。
【００１８】
図１に例示される調整部３０は、調整量生成部３１と、加算部３２とを含んでいる。調整量生成部３１は直流信号である調整信号Ｉｄ，Ｑｄを生成し、加算部３２は調整量生成部３１によって生成された直流調整信号Ｉｄ，Ｑｄと上記信号Ｉ２，Ｑ２とを加算することによって出力信号Ｉ３，Ｑ３を生成する。ここで、調整信号Ｉｄ，Ｑｄの信号レベルが正値の場合には入力信号Ｉ２，Ｑ２の直流成分は増加し、調整信号Ｉｄ，Ｑｄの信号レベルが負値の場合には入力信号Ｉ２，Ｑ２の直流成分は減少する。また、調整信号Ｉｄ，Ｑｄの信号レベルを０（ゼロ）に設定することも可能であり、この場合は入力信号Ｉ２，Ｑ２と出力信号Ｉ３，Ｑ３の直流成分値は同じである。調整信号Ｉｄ，Ｑｄの信号レベルの設定については後述する。
【００１９】
直交変調部４０は、調整部３０からの出力信号Ｉ３，Ｑ３（すなわち信号Ｓ３）を入力信号とし、当該変調入力信号Ｉ３，Ｑ３を直交変調することより無線周波数帯域の信号Ｓ４を生成して出力する。直交変調部４０は、例えば、入力信号Ｉ３，Ｑ３によって搬送波をそれぞれ変調し、変調された２つの搬送波を合成することによって無線伝送可能な変調波Ｓ４を生成する。
【００２０】
増幅部５０は、直交変調部４０からの出力された変調波Ｓ４を無線送信可能な電力に増幅して変調波Ｓ５として出力する。
【００２１】
ここで、図１に例示するように変調波生成装置１は、さらに、デジタルベースバンド信号生成部８０と、推定部９０とを含んでいる。
【００２２】
デジタルベースバンド信号生成部８０は、例えばアナログ／デジタル・コンバータで構成することが可能であり、図１にはそれを例示している。デジタルベースバンド信号生成部８０は、直交変調部４０のＩ信号入力端およびＱ信号入力端に接続されており、これにより変調入力信号Ｉ３，Ｑ３を入力信号として取得する。そして、デジタルベースバンド信号生成部８０は、直交する２つの信号Ｉ３，Ｑ３からデジタルベースバンド信号Ｓ８を生成して出力する。
【００２３】
推定部９０は、変調部４０へ入力される信号である変調入力信号Ｉ３，Ｑ３（変調入力信号Ｓ３）の直流成分値を推定するものである。推定部９０は、デジタルベースバンド信号生成部８０の出力端に接続されており、これにより変調入力信号Ｓ３がデジタル変換された変調入力信号Ｓ８を入力信号として取得する。また、推定部９０は、アナログベースバンド信号生成部１０の入力端に接続されており、これによりデジタルベースバンド原信号である送信情報信号Ｓ０を入力信号として取得する。そして、推定部９０は、取得した信号Ｓ８，Ｓ０に基づいて変調入力信号Ｓ８の直流成分値、換言すれば対応する変調入力信号Ｓ３（Ｉ３，Ｑ３）の直流成分値を推定し、その推定値を信号Ｓ９として調整部３０の調整量生成部３１へ送出する。なお、推定処理の具体例については後述する。
【００２４】
ここでは、推定部９０による直流成分値推定処理がソフトウェアによって実現される場合を例示する。この場合、推定部９０は例えばマイクロコンピュータ、記憶装置等を含んで構成され、当該マイクロコンピュータがプログラムに記述された各処理ステップ（換言すれば手順）を実行する。これにより、マイクロコンピュータは処理ステップに対応する各種手段として機能し、または、マイクロコンピュータによって処理ステップに対応する各種機能が実現される。なお、処理ステップについては後に例示する。
【００２５】
推定部９０が実行するプログラムは上記記憶装置に格納される。当該記憶装置は、各種のデータ、情報等も格納し、また、プログラムを実行するための作業領域を提供する。記憶装置は、例えばＲＯＭ（Read  Only  Memory）、ＲＡＭ（Random  Access  Memory）、書き換え可能な不揮発性メモリ（ＥＰＲＯＭ（Erasable  Programmable  ROM）等）、ハードディスク装置、ＤＶＤ（Digital  Versatile  Disc）等の１つまたは複数で構成可能である。
【００２６】
なお、推定部９０によって実現される各種手段または各種機能の一部または全部をハードウェアによって実現することも可能である。
【００２７】
推定結果信号Ｓ９を取得した調整部３０の調整量生成部３１は、推定部９０による推定結果に基づいて調整信号Ｉｄ，Ｑｄの直流信号値を設定する。
【００２８】
ここで、変調入力信号Ｉ３，Ｑ３の直流成分値について、直交変調部４０の回路入力特性上定まる適正値がある。その適正値は例えば両信号Ｉ３，Ｑ３について０（ゼロ）であり、この場合、変調入力信号Ｉ３，Ｑ３（すなわちＳ８）は直流成分を含んでいないことになる。この適正値は回路設計上または解析・測定等によって予め知ることができる値である。
【００２９】
かかる点に鑑み、調整量生成部３１は、推定部９０によって推定された直流成分値が上記適正値に近づくように、より好ましくは推定値が適正値に実質的に等しくなるように、調整信号Ｉｄ，Ｑｄの信号レベルを設定する。より具体的には、適正値よりも推定値の方が大きい場合には調整信号Ｉｄ，Ｑｄを低減し、逆に推定値の方が小さい場合には調整信号Ｉｄ，Ｑｄを増大させる。
【００３０】
なお、変調入力信号Ｉ３，Ｑ３の直流成分の適正値を不揮発性メモリ（例えばＥＰＲＯＭ）等の記憶部（図示略）に格納しておくことにより、調整量生成部３１は当該記憶部へアクセスして上記適正値を取得することが可能である。かかる記憶部は、調整量生成部３１がアクセス可能であれば、調整量生成部３１の内部または外部のいずれに設けられていてもよい。
【００３１】
以下に、推定部９０における直流成分値の推定処理を図２の波形図および図３のフローチャートを用いて説明する。なお、図２では各種信号等を電圧の波形で例示している。
【００３２】
一般的な信号解析手法であるフーリエ級数展開に従えば、変調入力信号Ｓ８は直流成分Ｓ８ｄと交流成分（高調波成分）Ｓ８ａとの合算（和）として表される。すなわち次式で表される。なお「（ｔ）」は時間ｔを変数に持つ関数であることを示す。
【００３３】
Ｓ８（ｔ）＝Ｓ８ｄ＋Ｓ８ａ（ｔ）
【００３４】
なお、両成分Ｓ８ｄ，Ｓ８ａの原点レベルは共通である。同様に、送信情報信号Ｓ０は、共通の原点レベルに対して規定される直流成分Ｓ０ｄと交流成分Ｓ０ａとの合算として表される。すなわち、次式で表される。
【００３５】
Ｓ０（ｔ）＝Ｓ０ｄ＋Ｓ０ａ（ｔ）
【００３６】
ここでは変調入力信号Ｓ８の成分Ｓ８ｄ，Ｓ８ａと送信情報信号Ｓ０の成分Ｓ０ｄ，Ｓ０ａとの間についても原点レベルが共通であるとし、その原点レベルは例えば変調波生成装置１における接地電位に設定される。
【００３７】
一般的には送信情報信号Ｓ０の直流成分Ｓ０ｄは０（ゼロ）であるので、ここでもそのように設定する。この場合、送信情報信号Ｓ０は交流成分Ｓ０ａのみから成る交流成分信号になる（Ｓ０＝Ｓ０ａ（ｔ））。
【００３８】
変調波生成装置１の上記構成によれば、変調入力信号Ｓ８の交流成分Ｓ８ａの波形と送信情報信号Ｓ０の交流成分Ｓ０ａの波形（すなわちここでは送信情報信号Ｓ０の波形）とは、実質的に同一形状または相似形状になる。なお、信号波形について「相似」とは、信号波形を信号レベル方向（例えば図２では電圧を示す縦軸方向）に伸縮することによって実質的に同一形状にすることが可能な関係を言う。
【００３９】
かかる点に鑑み、推定部９０は、変調入力信号Ｓ８の直流成分値Ｓ８ｄを、送信情報信号Ｓ０を参考信号として利用して推定する。具体的には、変調入力信号Ｓ８の交流成分Ｓ８ａを送信情報信号Ｓ０（の交流成分Ｓ０ａ）を利用して除去することにより、変調入力信号Ｓ８の直流成分Ｓ８ｄ、換言すれば送信情報信号Ｓ０に対する変調入力信号Ｓ８の原点オフセット（値）Ｓ８ｄを取得する。
【００４０】
このとき、推定部９０は、交流成分除去について、次の信号Ｐ（ｔ）を利用する。
【００４１】
Ｐ（ｔ）＝Ｓ８（ｔ）＋ｋ×Ｓ０（ｔ）
＝Ｓ８ｄ＋｛Ｓ８ａ（ｔ）＋ｋ×Ｓ０（ｔ）｝
【００４２】
すなわち、信号Ｐ（ｔ）は、変調入力信号Ｓ８と、送信情報信号Ｓ０をｋ倍にして得られる交流成分信号｛ｋ×Ｓ０｝とを加算した加算信号である。
【００４３】
上記式によれば、右辺第２項｛Ｓ８ａ（ｔ）＋ｋ×Ｓ０（ｔ）｝の値が小さいとき、より好ましくは０のとき、当該信号Ｐ（ｔ）は右辺第１項Ｓ８ｄの値に収束する。すなわち、変調入力信号Ｓ８から交流成分Ｓ８ａが除去される。
【００４４】
このため、推定部９０は、ｋの値を変化させることによって加算信号Ｐ（ｔ）の信号値を収束させ、当該収束した信号値を変調入力信号Ｓ８の直流成分値Ｓ８ｄであると推定する。
【００４５】
なお、加算信号Ｐ（ｔ）は、交流成分の除去度合いについての評価関数、換言すれば直流成分の抽出度合いついての評価関数の信号と捉えることも可能である。すなわち、評価関数Ｐ（ｔ）の変化幅が小さいほど、上記度合いが高いことになる。
【００４６】
図２の例示の場合は２つの交流成分Ｓ８ａ，Ｓ０ａが同相であるので、パラメータｋの値は負値（ｋ＜０）に限定することが可能である。かかる限定によれば、推定部９０の演算負荷を軽減することができる。
【００４７】
上記推定処理は、例えば推定部９０が図３に例示したフローチャートの処理ステップＳＴ１１〜ＳＴ１４を実行することにより実現される。
【００４８】
ステップＳＴ１１において、推定部９０は上記ｋの値を設定する。このとき、推定処理の開始後に初めてステップＳＴ１１を実行する場合には上記ｋの初期値は任意に設定すればよい。
【００４９】
その後、ステップＳＴ１２において、推定部９０は、変調入力信号Ｓ８および送信情報信号Ｓ０について同時刻の電圧値を取得し、上記の加算信号Ｐの信号値を算出する。推定部９０は、当該ステップＳＴ１２を予め設定した所定回数または所定時間繰り返し、記憶装置内に加算信号Ｐの値を、取得した順番または時刻に関連づけて格納する。かかる格納形式によれば、加算信号Ｐの波形が記憶装置に記録されているとも捉えられる。
【００５０】
そして、ステップＳＴ１３において、推定部９０は、加算信号Ｐの時系列データが収束しているか否かを判定する。かかる収束判定は、例えば加算信号Ｐの変化幅が、予め設定した所定範囲内に収まっているか否かを判定することによって行うことが可能である。
【００５１】
ステップＳＴ１３において加算値Ｐが収束していないと判定された場合、推定部９０は上記ステップＳＴ１１へ移行して新たなｋ値を設定し、上記ステップＳＴ１２，ＳＴ１３を再度実行する。
【００５２】
他方、ステップＳＴ１３において加算信号Ｐが収束していると判定された場合、推定部９０は、ステップＳＴ１４において、収束していると判定された加算信号値Ｐまたはそれの平均値を変調入力信号Ｓ８の直流成分値Ｓ８ｄの推定値として決定する。
【００５３】
なお、上記ステップＳＴ１１〜ＳＴ１４を複数回繰り返すことにより、収束した加算信号Ｐを複数取得し、そのうちで収束度合いが最も高い、すなわち信号変化幅が最小の加算信号Ｐに基づいて推定直流成分値Ｓ８ｄを決定してもよい。
【００５４】
また、上記では信号Ｓ８，Ｓ０の電圧値の取得と加算信号値Ｐの算出とを並行して（並列的に）行う場合を例示した。これに対し、予め設定した時間長さの期間について信号Ｓ８，Ｓ０の電圧値を順次取得して記憶装置に格納しておき、当該信号取得期間の経過後に加算信号Ｐの算出を行うようにしてもよい。この場合も、収束した加算信号Ｐを複数取得することが可能であるので、そのうちで収束度合いが最も高い加算信号Ｐに基づいて推定直流成分値Ｓ８ｄを決定してもよい。
【００５５】
変調波生成装置１によれば、変調入力信号Ｓ３に対応する変調入力信号Ｓ８の直流成分値Ｓ８ｄを推定し、当該推定値を利用して変調入力信号Ｓ３の直流成分値を調整する。このため、変調波送信状態であっても直流成分の調整、すなわちオフセット調整が可能である。したがって、製造時におけるオフセットの調整および高精度素子の選定が不要であり、変調波生成装置１を低コストで提供することができる。
【００５６】
また、上記の直流成分値の推定および調整は変調方式に依存しない。また、上記推定処理によれば、変調波送信状態において信号変化が大きい交流成分Ｓ０ａ，Ｓ８ａを利用して直流成分値Ｓ８ｄを推定するので、高い推定精度が得られる。このため、調整誤差の小さい、すなわち高精度なオフセット調整を行うことができる。
【００５７】
＜実施の形態２＞
本実施の形態２に係る変調波生成装置は、上記の変調波生成装置１（図１参照）と同様に構成されるが、推定部９０における推定処理が実施の形態１とは異なる。
【００５８】
図４および図５に実施の形態２に係る推定処理を説明する波形図およびフローチャートをそれぞれ示す。なお、図４では各種信号等を電圧の波形で例示している。
【００５９】
実施の形態２に係る推定処理においても、変調入力信号Ｓ８の交流成分Ｓ８ａの波形と送信情報信号Ｓ０の交流成分Ｓ０ａの波形（すなわちここでは送信情報信号Ｓ０の波形）とが同一形状または相似形状である点を利用するが、特に信号波形の時間軸方向の形態を利用する。すなわち、同一または相似な信号波形では信号値が０（ゼロ）になる時間間隔が等しい、換言すればいわゆるゼロクロス点の時間間隔が等しい。このとき、変調入力信号Ｓ８の交流成分値Ｓ８ａが０の場合、当該信号Ｓ８は直流成分Ｓ８ｄのみになり、当該直流成分Ｓ８ｄの値は送信情報信号Ｓ０に対する変調入力信号Ｓ８の原点オフセット量に当たることを利用する（図４参照）。
【００６０】
かかる点に鑑み、推定部９０は、送信情報信号Ｓ０を参考信号として利用することによち、変調入力信号Ｓ８の直流成分値Ｓ８ｄを推定する。具体的には、図５のフローチャートに例示するように、推定部９０は、ステップＳＴ３１において、予め設定した時間長さの期間について変調入力信号Ｓ８および送信情報信号Ｓ０の各信号波形を取得する。例えば、当該期間内の各信号Ｓ８，Ｓ０の信号値（電圧値）を順次取得し、取得した順番または時間と関連付けて記憶装置に格納する。
【００６１】
その後、推定部９０は、ステップＳＴ３２において、送信情報信号Ｓ０の値が０になる時間間隔（原点レベル間隔）を抽出する。かかる抽出は例えば、記憶装置内に格納された上記データをＳ０＝０という条件（またはＳ０≒０という条件）を検索キーとして検索することにより当該条件を満足する時刻を抽出し、それらの時間間隔を算出することによって行うことが可能である。
【００６２】
次に、推定部９０は、ステップＳＴ３３において、変調入力信号Ｓ８の推定直流成分値Ｓ８ｄの候補となる信号レベルＳｐの値（一定値）を設定する。推定処理の開始後に初めてステップＳＴ３３を実行する場合にはＳｐの初期値は任意に設定することが可能である。このとき、推定部９０は、記憶装置内に格納された上記データを検索して変調入力信号Ｓ８の最大値と最小値とを抽出し、それらの間の値、例えば中間値をＳｐの初期値に設定するのが、効率的である。
【００６３】
その後、推定部９０は、ステップＳＴ３４において、変調入力信号Ｓ８が信号レベルＳｐになる時間間隔を抽出する。かかる抽出は例えば上記ステップＳＴ３２と同様に行うことが可能である。
【００６４】
そして、推定部９０は、ステップＳＴ３５において、上記ステップＳＴ３２，ＳＴ３４で抽出した時間間隔が実質的に等しいか否かを判定する。かかる判定は、例えば、対応する時間間隔の誤差が予め設定した所定範囲内に収まっているか否かを判定することによって行うことが可能である。
【００６５】
ステップＳＴ３５において両時間間隔が実質的に等しくないと判定された場合には、推定部９０は上記ステップＳＴ３３へ移行して新たな候補値Ｓｐを設定し、上記ステップＳＴ３４，ＳＴ３５を再度実行する。
【００６６】
他方、ステップＳＴ３５において両時間間隔が実質的に等しいと判定された場合には、推定部９０は、ステップＳＴ３６において、そのときの信号レベル値Ｓｐを変調入力信号Ｓ８の直流成分値Ｓ８ｄの推定値として決定する。
【００６７】
このようなステップＳＴ３１〜ＳＴ３６によれば、送信情報信号Ｓ０＝０になる時間間隔と実質的に等しい時間間隔を変調入力信号Ｓ８において発生させる信号レベルＳｐを選定することができ、これにより直流成分値Ｓ８ｄを推定することができる。
【００６８】
なお、上記ステップＳＴ３３〜ＳＴ３５を複数回繰り返すことにより、上記所定範囲内に収まる誤差を与える信号レベルＳｐを複数取得し、そのうちで最小の誤差を与える信号レベルＳｐを上記推定直流成分値Ｓ８ｄに決定してもよい。
【００６９】
また、上記では、所定期間について信号Ｓ８，Ｓ０の波形を取得した後に、上記時間間隔の抽出を行う場合を例示した。これに対し、信号Ｓ８，Ｓ０の取得と時間間隔の抽出とを並行して（並列的に）行うようにしてもよい。この場合も、推定直流成分値Ｓ８ｄの候補となる信号レベルＳｐを、時間経過とともに複数取得することが可能であり、そのうちで最小の誤差を与える信号レベルＳｐを推定直流成分値Ｓ８ｄに決定してもよい。
【００７０】
実施の形態２に係る推定処理を行う変調波生成装置１によれば、実施の形態１に係る同装置１と同様の効果を得ることができる。
【００７１】
また、実施の形態２に係る推定処理によれば、対比する信号Ｓ８，Ｓ０の間に遅延がある場合であっても、高い精度の推定を行うことができる。
【００７２】
ここで、変調入力信号Ｓ８の直流成分値Ｓ８ｄに対応する電圧レベルＳｐ、換言すれば当該信号Ｓ８の交流成分Ｓ８ａが０となる電圧レベルＳｐは、変調入力信号Ｓ８の最大値と最小値との間、例えば両値の中間値付近に存在する確率が高い。これに対し、実施の形態１に係る推定処理では、変調入力信号Ｓ８の全電圧値を対象とする。かかる点に鑑みれば、実施の形態２に係る推定部９０は、実施の形態１に係る推定部９０よりも、デジタルベースバンド信号生成部８０の入力電圧レンジが小さくても（狭くても）よい。このため、実施の形態２に係る変調波生成装置１は、安価なデジタルベースバンド信号生成部８０を用いて低コストに構成することができる。
【００７３】
＜実施の形態１，２の変形例＞
上記では推定処理の参考信号として用いる送信情報信号Ｓ０が直流成分Ｓ０ｄを含まない場合を例示した。これに対し、送信情報信号Ｓ０が直流成分Ｓ０ｄも含んでいてもよく、この場合は例えばハイパスフィルタ（ＨＰＦ）やバンドパスフィルタ（ＢＰＦ）によって送信情報信号Ｓ０中の交流成分Ｓ０ａを抽出して利用することができる。
【００７４】
また、推定処理の参考信号は上記で例示した送信情報信号Ｓ０に限定されるものではない。すなわち、変調入力信号Ｓ８の交流成分Ｓ８ａの波形と実質的に同一または相似の波形を有する交流成分を含んでいれば、その信号を参考信号として利用することができる。
【００７５】
また、参考信号として、例えばアナログベースバンド信号生成部１０からの出力信号Ｉ１，Ｑ１や補償部２０からの出力信号Ｉ２，Ｑ２をデジタル変換したものを利用することも可能である。しかし、これらの信号の交流成分の原点レベルはオフセットしていることが多いので、当該オフセットすなわち直流成分を除去するためにハイパスフィルタ（ＨＰＦ）等が必要となる。このため、送信情報信号Ｓ０を利用した方が、装置の構成簡略化、低コスト化を図ることができる。
【００７６】
また、上記では変調入力信号Ｉ３，Ｑ３がデジタル変換された変調入力信号Ｓ８の直流成分値Ｓ８ｄを推定する場合を例示した。これに対し、例えば変調入力信号Ｉ３，Ｑ３のそれぞれについて直流成分値を推定するように変調波生成装置１を構成することも可能である。この場合、参考信号として例えば信号Ｉ１，Ｑ１を利用可能である。
【００７７】
また、上記では参考信号である送信情報信号Ｓ０の交流成分Ｓ０ａが変調入力信号Ｓ８の交流成分Ｓ８ａと同相である場合を例示した。これに対し、当該交流成分Ｓ８ａと逆相の交流成分を含んだ参考信号を利用することも可能である。この場合、上記パラメータｋの値は正値（ｋ＞０）に限定することが可能であり、かかる限定により推定部９０の演算負荷を軽減することができる。
【００７８】
また、上記では信号Ｓ８等を電圧信号で例示したが、信号Ｓ８等は例えば電流信号であってもよい。
【００７９】
また、上記では調整部３０は直流調整信号Ｉｄ，Ｑｄの加算によって直流成分調整を行う場合を例示した。これに対し、当該調整を増幅手段による信号増幅または減衰手段による信号減衰によって行うように調整部３０を構成してもよい。
【００８０】
また、上記では変調波が無線伝送される場合を例示したが、変調波を有線伝送する場合にも実施の形態１，２に係る変調波生成装置１を適用することができる。また、実施の形態１，２に係る変調波生成装置１は種々の変調方式に適応可能である。
【図面の簡単な説明】
【００８１】
【図１】実施の形態１，２に係る変調波生成装置を説明するブロック図である。
【図２】実施の形態１に係る推定処理を説明する波形図である。
【図３】実施の形態１に係る推定処理の手順を説明するフローチャートである。
【図４】実施の形態２に係る推定処理を説明する波形図である。
【図５】実施の形態２に係る推定処理の手順を説明するフローチャートである。
【符号の説明】
【００８２】
１  変調波生成装置、３０  調整部、４０  直交変調部、９０  推定部、Ｓ０  送信情報信号（参考信号）、Ｓ３，Ｓ８  変調入力信号、Ｓ０ａ，Ｓ８ａ  交流成分（値）、Ｓ０ｄ，Ｓ８ｄ  直流成分（値）、Ｓｐ  一定の信号レベル、Ｐ  加算信号。
【図１】
2009284132.tif 000003
【図２】
2009284132.tif 000004
【図３】
2009284132.tif 000005
【図４】
2009284132.tif 000006
【図５】
2009284132.tif 000007